(57)【特許請求の範囲】
【請求項１】
扉の庫内側に設けられて氷を貯氷空間に貯蔵する貯氷装置と、
前記貯氷装置より上方に配置される製氷装置と、を備え、
前記製氷装置は、
底部と開口端面とを有する製氷皿と、
前記製氷皿の上方を通過した冷気を製氷皿の底部側へ誘導する冷気誘導部を設けた円弧状の製氷皿包囲部材と、を備え、
前記製氷装置は、冷気を該製氷皿の前記開口端面に沿って流し、且つ、製氷皿の上方を通過した冷気を製氷皿の底部側へ誘導して底部に沿って流すことで、冷気の流れが製氷皿を包むように構成され、
前記冷気誘導部には、製氷皿の上方を通過した冷気の一部を前記貯氷装置の貯氷空間に供給するために通過させる冷気通過部が設けられ、
前記製氷皿包囲部材には延長部が設けられて、該延長部は、前記製氷皿が所定角度まで回転した場合に落下した氷を受け止めて、
前記製氷皿がさらに回転した場合に、前記延長部が前記製氷皿の短辺方向一端部と鉛直方向に整列して、氷を前記貯氷装置に落下させることを特徴とする製氷装置。
【請求項２】
前記冷気通過部は、前記冷気誘導部に形成される貫通孔として設けられることを特徴とする請求項１に記載の製氷装置。
【請求項３】
前記製氷皿は、前記開口端面が下方側を向くように回転駆動されて、この開口端面から氷を下方に落下させるように構成され、
前記製氷皿包囲部材は、前記製氷皿の回転と一体に回転するように構成されることを特徴とする請求項１又は２に記載の製氷装置。
【請求項４】
請求項１〜３のいずれか一項に記載の製氷装置を備えることを特徴とする冷蔵庫。
【発明の詳細な説明】
【技術分野】
【０００１】
本発明は、製氷装置及び該製氷装置を備える冷蔵庫に関するものである。
【背景技術】
【０００２】
従来、底部と開口端面とを有する製氷皿を備えるとともに、冷気を該製氷皿の前記開口端面に沿って流し、且つ、製氷皿の上方を通過した冷気を製氷皿の底部側へ誘導して底部に沿って流すことで、冷気の流れが製氷皿を包むように構成され、氷を貯氷空間に貯蔵する貯氷装置より上方に配置される製氷装置が知れられている（例えば、特許文献１等）。
【０００３】
この製氷装置は、製氷皿を収容する製氷室を設け、製氷室に流れる冷気を製氷皿及び製氷皿の近辺のみに流れる構成としたものである。従って、製氷速度を速くすることができるという効果を奏する。
【０００４】
【特許文献１】特開２００２−２２８３３４号公報
【発明の開示】
【発明が解決しようとする課題】
【０００５】
しかしながら、上記従来の製氷装置は、製氷装置の下方に配置される貯氷装置の貯氷空間には冷気が流れないものであるため、貯氷装置に貯蔵された氷の状態を好適に保つことができないという問題がある。
【０００６】
具体的には、一般的に、冷凍室を開放すると、温かい空気が外部から取り込まれることとなる。すると、この温かい空気が貯氷装置に貯蔵された氷に触れることによって、氷は表面が溶ける状態となる。また、温かい空気が貯氷装置の貯氷空間にも滞留することとなる。
【０００７】
この状態で冷凍室を閉塞したとしても、貯氷空間に滞留した空気が冷え、氷の表面が再度凍るのには暫く時間がかかる。従って、その間に氷同士が溶けた後に凍ることとなり、複数の氷が固着した氷塊となってしまうという問題がある。
【０００８】
そこで、本発明は、氷を速く製造することができつつも、貯氷装置に貯蔵された氷の状態を好適に保つことができる製氷装置、及び、そのような製氷装置を備えた冷蔵庫を提供することを課題とする。
【課題を解決するための手段】
【０００９】
本発明は、上記課題を解決することを目的としてなされたものである。
【００１０】
即ち、扉の庫内側に設けられて氷を貯氷空間に貯蔵する貯氷装置と、前記貯氷装置より上方に配置される製氷装置と、を備え、前記製氷装置は、底部と開口端面とを有する製氷皿と、前記製氷皿の上方を通過した冷気を製氷皿の底部側へ誘導する冷気誘導部を設けた円弧状の製氷皿包囲部材と、を備え、前記製氷装置は、冷気を該製氷皿の前記開口端面に沿って流し、且つ、製氷皿の上方を通過した冷気を製氷皿の底部側へ誘導して底部に沿って流すことで、冷気の流れが製氷皿を包むように構成され、前記冷気誘導部には、製氷皿の上方を通過した冷気の一部を前記貯氷装置の貯氷空間に供給するために通過させる冷気通過部が設けられ、前記製氷皿包囲部材には延長部が設けられて、該延長部は、前記製氷皿が所定角度まで回転した場合に落下した氷を受け止めて、前記製氷皿がさらに回転した場合に、前記延長部が前記製氷皿の短辺方向一端部と鉛直方向に整列して、氷を前記貯氷装置に落下させることを特徴とする。
【発明の効果】
【００１１】
本発明によれば、氷を速く製造することができつつも、貯氷装置に貯蔵された氷の状態を好適に保つことができる。
【発明を実施するための最良の形態】
【００１２】
本発明の一実施形態に係る製氷装置及び該製氷装置を備えた冷蔵庫について説明する。
【００１３】
本実施形態に係る冷蔵庫１は、図１に示すような外観を有し、ドアに設けられたディスペンサー部１０において水や氷を提供する機能を有するものである。また、この冷蔵庫１は、サイドバイサイドと呼ばれるタイプのものであり、図２にも示すように、貯蔵室が左右に大きく分割された構造を有するものである。
【００１４】
次に、図２及び図３を参照しつつ、冷蔵庫１の内部構造について説明する。冷蔵庫１は、貯蔵温度が０℃以下の第１貯蔵室２０と、貯蔵温度が０℃より高い第２貯蔵室３０とが左右に配置されている。具体的には、冷蔵庫１は、向かって左側の第１貯蔵室２０が冷凍室（以下、適宜冷凍室２０ともいう）とされ、向かって右側の第２貯蔵室３０が上下に分割され、上部が冷蔵室３２とされ、下部が野菜室３３とされている。そして、冷凍室２０，冷蔵室３２，野菜室３３に対応して冷凍室ドア２１，冷蔵室ドア３４，野菜室ドア３５が設けられている。
【００１５】
次に、第１貯蔵室（冷凍室）２０について説明する。冷凍室２０には、その上部に製氷装置５０が設けられている。製氷装置５０は、冷凍室２０の前方部分に配置されている。また、冷凍室２０には、製氷装置５０で製造された氷を貯氷空間４１に貯蔵する貯氷装置４０が設けられている。この貯氷装置４０は、冷凍室ドア２１の庫内側に設けられている。図３に示すように、貯氷装置４０は、その氷を製氷装置５０より下方で受け止める位置関係となっている。具体的には、貯氷装置４０の上端開口部４２が製氷装置５０の氷落下部５１の直下となるように配置されている。そして、貯氷装置４０は、冷凍室ドア２１を閉じると、製氷装置５０より下方に位置する状態となる。
【００１６】
また、図３に示すように、冷凍室２０の背面における上方位置には、冷凍室２０内に冷気を供給する冷却ファン２２が備えられている。そして、冷凍室２０には、この冷却ファン２２からの冷気を製氷装置５０に直接供給するためのダクト２３が設けられている。
【００１７】
なお、図２に示すように、第２貯蔵室３０は、製氷装置５０に給水する給水タンク３６を備える。また、製氷装置５０用の配管（図示しない）は、給水タンク３６から冷蔵庫１の奥行き方向に向かって冷蔵庫筐体を貫通して冷蔵庫１の外側まで延び、そこから背面及び天井面に沿って冷凍室ドア２１側へ向かい、天井面の途中位置から冷蔵庫筐体を貫通して製氷装置５０に到達するように設けられている。
【００１８】
次に、図４〜図９を用いて、製氷装置５０について説明する。
【００１９】
製氷装置５０は、開口端面（即ち、開口された上端面）６１と底部６２とを有する製氷皿６０を備えるとともに、冷気を該製氷皿６０の開口端面６１に沿って流し、且つ、製氷皿６０の上方を通過した冷気を製氷皿６０の底部６２側へ誘導して底部６２に沿って流すことで、冷気の流れが製氷皿６０を包むように構成され、氷を貯氷空間４１に貯蔵する貯氷装置４０より上方に配置される製氷装置５０である。そして、製氷皿６０の上方を通過した冷気を製氷皿６０の底部６２側へ誘導する冷気誘導部７１を備え、該冷気誘導部７１には、製氷皿６０の上方を通過した冷気の一部を貯氷装置４０の貯氷空間４１に供給するために通過させる冷気通過部７２が設けられる。
【００２０】
以下では、冷気通過部７２等について説明するのに先立って、まず、製氷装置５０に関する全体構造について説明する。
【００２１】
製氷装置５０は、製氷皿６０と、該製氷皿６０を収容する製氷装置筐体８０と、製氷皿６０の底部６２を囲むように配置されて冷気を製氷皿６０の底部６２に沿って誘導する製氷皿包囲部材７０とを備える。
【００２２】
製氷装置筐体８０は、内部に製氷空間８１が形成されており、製氷皿６０を収容可能に構成されている。また、製氷装置筐体８０は、下部が開放されている。かかる開放された下部は、製造された氷を下方の貯氷装置４０に向かって落下させる際に氷が通過する部分である。なお、この部分が氷落下部５１となっている。
【００２３】
製氷装置筐体８０は、上部を冷凍室２０の天井面に固定される。製氷装置筐体８０の上部には、給水管（図示しない）を挿通させるための給水管挿通部８２が形成されている。該給水管挿通部８２は、丸孔によって構成される。また、側部には、冷却ファン２２から送られる冷気を内部に取り込むための冷気吹込部８３が形成されている。さらに、製氷空間８１から冷気を排出するための冷気排出部８４が形成されている。これら冷気吹込部８３及び冷気排出部８４は、製氷装置筐体８０の同一の側部に形成されており、上下に並んで配置される。なお、これら冷気吹込部８３及び冷気排出部８４は、長孔若しくはスリットによって構成される。
【００２４】
製氷装置筐体８０の冷気吹込部８３は、ダクト２３と連通するように配置されている。また、冷気吹込部８３は、製氷皿６０の開口端面６１の高さ位置に対応して設けられている。そして、ダクト２３で運ばれた冷気は、製氷皿６０の開口端面６１に沿って流れるようになっている。一方、冷気排出部８４は、ダクト２３よりも下方に位置し、冷凍室２０内の貯蔵空間に連通するように配置されている。
【００２５】
また、この製氷装置５０は、いわゆる自動製氷装置と呼ばれるタイプのものであり、空の製氷皿６０に水を満たし、この水が凍った後に製氷皿６０を回転させて離氷させるといった製氷作業を自動で行うことができる。かかる動作を可能とする構成として、製氷装置５０には、製氷皿６０を回転駆動する駆動部９０が備えられている。
【００２６】
製氷皿６０は、図６に示すように、上面視概略長方形状を有する。また、製氷皿６０は、仕切部６３によって複数の製氷部６４に区分されており、かかる製氷部６４は、短辺方向に２列、長辺方向に４列形成されている。製氷部６４は、下方ほど狭小となるように形成されており、上面視概略長方形状で、側面視概略台形状の氷が製造される。具体的には、図５等に示されるように、製氷部６４は、側面が傾斜した平坦面によって構成されているとともに、底面が湾曲面によって構成されている。また、この製氷皿６０では、例えば４２mm×３２mm×２５mmのサイズの氷を製造することができる。なお、製氷装置筐体８０は、製氷皿６０の短辺方向が冷凍室の奥行き方向と平行になるように設置される。
【００２７】
また、製氷皿６０は、開口端面６１が下方側を向くように回転させて氷を落下させるように構成されるものである。具体的には、製氷皿６０は、長辺方向に沿う回転軸を中心に回転可能とされる。より具体的には、回転軸は、短辺方向中央部に配置される。そして、製氷皿６０は、長辺方向両端部を回転可能に保持されている。具体的には、製氷皿６０は、水平な状態（即ち、０度）から開口端面６１がほぼ下方を向く状態（例えば、１６０度）まで回転駆動される。
【００２８】
さらに、駆動部９０は、製氷皿６０を捻ることにより、氷を製氷部６４から押し出す態様で離氷させるものである。かかる製氷皿６０を捻る動作が行われるのは、製氷皿６０の開口端面６１が下方側を向き始めた時点以降に設定されており、具体的には、その角度範囲は、製氷皿６０の回転角度における１３０〜１６０度の範囲とされる。
【００２９】
次に、製氷皿包囲部材７０について説明する。
【００３０】
製氷皿包囲部材７０は、製氷装置筐体８０の下部の開放部分（即ち、製氷装置５０の氷落下部５１）を閉塞するように配置される。これにより、氷落下部５１から冷気が下方に流出するのを防止している。また、この製氷皿包囲部材７０によって、製氷空間８１が画成されている。ところで、製氷皿包囲部材７０は、冷気が製氷皿６０の底部６２に沿って流れるように誘導する部材であり、冷気誘導部材としても特定することができる。
【００３１】
また、製氷皿包囲部材７０は、氷を下方に落下させる態様で離氷させる際に氷落下部５１から退避させるべく、回転可能に設けられる。具体的には、製氷皿包囲部材７０は、駆動部９０によって回転駆動される。製氷皿６０と製氷皿包囲部材７０とは、連動して回転するように構成されている。
【００３２】
製氷皿包囲部材７０は、円弧状に形成される。また、この円弧状の製氷皿包囲部材７０は、製氷皿の回転中心と同心に配置される。具体的には、製氷皿包囲部材７０は、約２００度の角度範囲を有する概略半円弧状に形成される。ただし、製氷皿包囲部材としては、一端部がこれより短い約１８０度に形成されるものであってもよい。なお、他端側から約１４５度の位置が回転軸と水平な位置となる際の配置が、製氷皿包囲部材７０の通常時（製氷時）の配置である。
【００３３】
製氷皿包囲部材７０は、一端部が製氷皿６０よりも上方に突出するように設けられる。そして、この上方に迫り出した部分には、製氷皿６０の上方を通過した冷気が当たることとなり、この部分は、冷気を受ける冷気受け部としても特定することができる。また、製氷皿包囲部材７０は、製氷皿６０の短辺方向両側部のうち冷気の流れ方向下流側の一側部と対向する部位を有する。具体的には、製氷皿包囲部材７０は、半円弧状の形状を有し、その径方向一端部が上方に突出するように設けられる。一方、製氷皿包囲部材７０の径方向他端部は、冷気排出部８４を塞ぐことのないように、冷気排出部８４よりも下方位置に配置される。
【００３４】
そして、製氷皿包囲部材７０には、図７に示すように、冷気通過部７２が設けられる。かかる冷気通過部７２は、製氷皿６０の上方を通過した冷気のうち、２０％程度を貯氷装置４０の貯氷空間４１に供給すべく通過させる。よって、残りの８０％程度の冷気が製氷皿包囲部材７０に沿って製氷皿６０の底部６２側に流される。ただし、冷気通過部７２が通過させる冷気の割合は、上記数値に限定されるものではなく、製氷装置５０及び貯氷装置４０の大きさや構造に合わせて種々変更可能である。
【００３５】
冷気通過部７２は、製氷皿６０の長辺方向に沿って設けられている。好ましくは、冷気通過部７２は、製氷皿６０の全長に亘って設けられている。また、冷気通過部７２は、製氷皿６０の開口端面６１の高さ位置と同程度の高さ位置を少なくとも含むように設けられる。
【００３６】
冷気通過部７２は、製氷皿６０の開口端面６１よりも上方の位置から該開口端面６１よりも下方にかけての所定の角度範囲に亘って設けられる。具体的には、冷気通過部７２は、製氷皿６０の一側部と対向する部位に設けられる。より具体的には、冷気通過部７２は、水平方向を０度として、回転方向とは反対方向に約１７度の位置に上端部を有し、回転方向に約３０度の位置に下端部を有し、円弧状の製氷皿包囲部材７０において約４７度の角度範囲に亘って設けられている。
【００３７】
具体的には、冷気通過部７２は、冷気誘導部７１に形成される連通孔として設けられる。連通孔は、氷のサイズよりも小さく形成される。より具体的には、冷気通過部７２は、製氷皿包囲部材７０の長手方向に対して傾斜するメッシュ状に形成され、各連通孔は、概略平行四辺形状（若しくは、概略菱形状）に形成される。なお、一部の連通孔は、概略平行四辺形状の一部に相当する概略三角形状に形成される。
【００３８】
ところで、本実施形態に係る冷蔵庫１は、冷蔵庫１の冷凍室２０側に製氷装置５０が配置される一方、冷凍室ドア２１側に貯氷装置４０が配置されるものである。従って、製氷装置５０が氷排出動作を行っている際に利用者が冷凍室ドア２１を開放した場合には、離氷した氷を貯氷装置４０で受け止めることができない事態が発生するという不都合も考えられ得る。
【００３９】
かかる課題を解決するために、冷蔵庫１は、氷が製氷装置５０から排出される期間（若しくは時間）をなるべく短くすることとしている。具体的には、製氷皿包囲部材７０における回転方向の後方側に延長部７３を設けているものである。この延長部７３は、製氷皿６０の開口端面６１よりも径方向（若しくは、回転方向）に突出した部分である。即ち、前記冷気受け部は、この延長部７３に相当する部分である。
【００４０】
次に、図８及び図９を用いて、上記実施形態からなる製氷装置５０の離氷動作について説明する。
【００４１】
まず、回転角度０度では、製氷皿６０（の開口端面６１）が水平となっている。その状態から製氷皿６０及び製氷皿包囲部材７０を回転させる。すると、製氷皿６０が回転して製氷部６４の傾斜面が水平方向に沿う状態となる角度位置（例えば、回転角度約６５度）の時点から、製氷部６４に密着していない氷が重力によって自然落下し始める。この製氷皿６０から脱落した氷は、製氷皿包囲部材７０の延長部７３に受け止められ、下方へ落下するのが阻止される。また、場合によっては、製氷皿包囲部材７０及び検氷レバー５２に引っ掛かって落下するのが阻止される氷もある。なお、図８（Ｂ）及び図９（Ｂ）は、回転角度９０度における状態である。また、回転角度９０度となるまでに、約９.５秒を要する。
【００４２】
そして、図８（Ｃ）及び図９（Ｃ）に示す回転角度１３０度まで製氷皿６０及び製氷皿包囲部材７０を回転させる。なお、回転角度９０度から１３０度となるまでに、約４.５秒を要する。そして、この回転角度１３０度の時点から、製氷皿６０の捩り動作が開始される。すると、製氷皿６０が変形して氷を製氷部６４から押し出すように力が作用し、離氷が促進される。また、この時点からは、製氷皿６０が前傾し始めることで製氷皿６０の短辺方向一端部が水平方向に前進し始める一方、製氷皿包囲部材７０が回転することで延長部７３が水平方向に後退し始める。このため、製氷皿６０の水平方向位置と延長部７３の水平方向位置とが接近した後に逆転することとなり、製氷皿６０から落下した氷を延長部で受け止めるのは困難となる。従って、氷は、氷落下部５１から下方へ向かって放出されることとなる。
【００４３】
その後、図８（Ｄ）及び図９（Ｄ）に示す回転角度１６０度まで、製氷皿６０及び製氷皿包囲部材７０を回転させる。なお、回転角度１３０度から１６０度となるまでに、約３.５秒を要する。また、製氷皿６０の捩りの程度は、回転角度１６０度の時点で最大となるように設定されている。
【００４４】
このように、製氷装置５０が氷落下防止機構を備えるものとすることにより、製氷皿６０の捩り動作が開始されるまでの期間に、不測に氷が脱落することを好適に防止することができる。即ち、離氷することが意図されていない期間は、製氷皿包囲部材７０の延長部７３で受け止めること等により、氷を製氷装置５０側に保持し、その後の製氷皿６０の捩り動作の際に、纏めて氷を貯氷装置４０に落下させることとしている。従って、氷が貯氷装置４０から落下する期間（若しくは時間）を短縮することができ、その間に冷凍室ドア２１を開いた場合に発生し得る不都合の発生確率を低減することができる。
【００４５】
なお、上記構成においても、回転角度１３０度から１６０度となるまでの約３.５秒間に冷凍室ドア２１を開けてしまうと、氷が落下してしまう不都合が依然として発生し得る。このため、少なくともこの間に冷凍室ドア２１が開放された場合には、製氷皿６０・製氷皿包囲部材７０の回転動作及び製氷皿６０の捩り動作を停止させる。併せて、報知手段によって利用者に離氷動作中であることを報知する。具体的には、警告音を発生させるのであるが、その旨を表示部１１（図１参照）等に表示してもよい。
【００４６】
また、製氷皿６０・製氷皿包囲部材７０の回転動作及び製氷皿６０の捩り動作や、離氷動作中の報知や表示等は、捩り動作の開始後だけでなく、氷が自然落下を開始する角度となった時点から行われるものであてもよく、製氷皿６０・製氷皿包囲部材７０の回転動作の回転開始時点から行われるものであってもよい。
【００４７】
以上のように、本実施形態に係る冷蔵庫１及び製氷装置５０によれば、氷を速く製造することができつつも、貯氷装置４０に貯蔵された氷の状態を好適に保つことができる。
【００４８】
即ち、本実施形態に係る製氷装置５０は、製氷皿６０の上方を通過した冷気を製氷皿６０の底部６２側へ誘導する冷気誘導部７１を備え、該冷気誘導部７１には、製氷皿６０の上方を通過した冷気の一部を貯氷装置４０の貯氷空間４１に供給するために通過させる冷気通過部７２が設けられるものである。
【００４９】
従って、冷凍室２０を開放した際に温かい空気が外部から取り込まれて、この温かい空気が貯氷装置４０に貯蔵された氷に触れることによって、氷の表面が溶け、また、温かい空気が貯氷装置４０の貯氷空間４１に滞留した状態となったとしても、冷気の一部が貯氷装置４０の貯氷空間４１に供給されることにより、直ちに貯氷空間４１に滞留した空気を冷やすことができ、また、氷の表面の水を直ちに凍らせるか、若しくは、蒸発させることができる。従って、複数の氷が固着した氷塊となることを好適に防止することができる。
【００５０】
しかも、製氷皿包囲部材７０が設けられることにより、製氷皿６０を開口端面６１側及び底部６２側の両側から冷却することができる。従って、製氷空間８１内を効率的に冷却することができ、製氷時間を短くすることができる。
【００５１】
なお、本発明に係る冷蔵庫及び製氷装置は、上記実施形態の構成に限定されるものではなく、発明の趣旨を逸脱しない範囲内で種々の変更が可能である。
【００５２】
例えば、氷落下防止機構としては、製氷皿包囲部材７０と検氷レバー５２との間隔を氷のサイズよりも小さくなるように設定し、製氷皿６０から脱落した氷を検氷レバー５２と製氷皿包囲部材７０との間で保持するものであってもよい。また、製氷皿包囲部材７０と検氷レバー５２との間に別途仕切部材を配置した上で、この仕切部材と製氷皿包囲部材７０との間隔を氷のサイズよりも小さくなるように設定し、製氷皿６０から脱落した氷を仕切部材と製氷皿包囲部材７０との間で保持するものであってもよい。
【００５３】
また、上記実施形態においては、冷凍室２０がヒンジ部２４によって連結された冷凍室ドア２１によって閉塞されるタイプの冷蔵庫１について説明したが、これに限定されるものではなく、本発明は、引き出し式の冷凍室を有する冷蔵庫にも当然に適用することもできる。
【００５４】
また、上記実施形態においては、冷気誘導部７１が製氷皿包囲部材７０の一端部に設けられるものとして説明したが、これに限定されるものではなく、冷気誘導部は、製氷皿の上方を通過した冷気が当たる位置に配置され、この冷気誘導部に当たった冷気を製氷皿の下方側へ誘導できるものであればよい。例えば、冷気誘導部を製氷皿包囲部材とは別に設けるものであってもよく、この場合には、製氷皿包囲部材が回転可能である一方、冷気受け部は製氷装置筐体に対して相対変位不能に固定されるものが考えられる。
【００５５】
また、本発明に係る製氷装置は、冷気の一部を貯氷装置４０の貯氷空間４１に供給することができるものであれば、貯氷装置４０の構造を特に限定するものではなく、例えば、氷貯蔵部の上端開口部から直接冷気を供給するものでなくてもよい。この場合には、貯氷装置の貯氷空間に連通されたダクト等を別途設けるものであってもよい。
【００５６】
また、上記実施形態においては、貯氷装置４０の上端開口部４２が製氷装置５０の氷落下部５１の直下となるように配置されるものとして説明したが、製氷装置５０及び貯氷装置４０の位置関係は、これに限定されるものではなく、貯氷装置４０及び製氷装置５０が鉛直方向に沿う位置関係とはならないものの、製氷装置５０で製造された氷が貯氷装置４０に導かれるものであってもよい。
【００５７】
また、製氷装置５０は冷凍室２０に設けられるものであるとして説明したが、これに限定されるものではなく、冷凍室ドア２１側に設けられるものであってもよい。この場合には、例えば、貯氷装置４０の真上に製氷装置５０を設ける構造が考えられる。
【００５８】
また、上記実施形態においては、製氷装置５０は、冷気誘導部７１に冷気通過部７２を設けることで実現される貯氷装置の貯氷空間冷却機構、及び、延長部７３を設けることで実現される氷落下防止機構の両方を備えるものであるとして説明した。また、本発明は、少なくとも貯氷空間冷却機構を備えるものとして説明した。しかし、貯氷空間冷却機構が設けられず、上記氷落下防止機構のみが設けられる製氷装置も、別発明の技術思想として抽出することができるものである。
【図面の簡単な説明】
【００５９】
【図１】本発明の一実施形態に係る製氷装置を備えた冷蔵庫を示す斜視図である。
【図２】同実施形態に係る冷蔵庫のドアを開いた状態を示す正面図である。
【図３】図１に示すＡ−Ａ線に沿う断面側面図である。
【図４】同実施形態に係る製氷装置の断面斜視図である。
【図５】同実施形態に係る製氷装置の断面側面図である。
【図６】同実施形態に係る製氷装置を示す図であって、図５に示すＢ−Ｂ線に沿う断面平面図である。
【図７】同実施形態に係る製氷装置の製氷皿包囲部材の斜視図である。
【図８】同実施形態に係る製氷装置の動作状態を示す断面側面図であって、（Ａ）は、回転角度０度、（Ｂ）は、回転角度９０度、（Ｃ）は、回転角度１３０度、（Ｄ）は、回転角度１６０度の状態を示す。
【図９】同実施形態に係る製氷装置の動作状態を示す断面斜視図であって、（Ａ）は、回転角度０度、（Ｂ）は、回転角度９０度、（Ｃ）は、回転角度１３０度、（Ｄ）は、回転角度１６０度の状態を示す。
【符号の説明】
【００６０】
１  冷蔵庫
１０  ディスペンサー部
１１  表示部
２０  第１貯蔵室（冷凍室）
２１  冷凍室ドア
２２  冷却ファン
２３  ダクト
２４  ヒンジ部
３０  第２貯蔵室
３２  冷蔵室
３３  野菜室
３４  冷蔵室ドア
３５  野菜室ドア
３６  給水タンク
４０  貯氷装置
４１  貯氷空間
４２  上端開口部
５０  製氷装置
５１  氷落下部
５２  検氷レバー
６０  製氷皿
６１  開口端面
６２  底部
６３  仕切部
６４  製氷部
７０  製氷皿包囲部材
７１  冷気誘導部
７２  冷気通過部
７３  延長部
８０  製氷装置筐体
８１  製氷空間
８２  給水管挿通部
８３  冷気吹込部
８４  冷気排出部
９０  駆動部
【図１】
0005142835.tif 000002
【図２】
0005142835.tif 000003
【図３】
0005142835.tif 000004
【図４】
0005142835.tif 000005
【図５】
0005142835.tif 000006
【図６】
0005142835.tif 000007
【図７】
0005142835.tif 000008
【図８】
0005142835.tif 000009
【図９】
0005142835.tif 000010